(57)【特許請求の範囲】
【請求項１】
複数の装飾体をフィルムに保持し、この装飾体を被転写体に転写させるための装飾体の転写用保持シートであって、
前記装飾体の一面を前記フィルムに設けた副粘着材に接着し、ドット状の主粘着材が印刷された第一離型紙の離型面上に第四離型紙を前記装飾体の他面と対向しない位置に載置し、前記フィルムに保持された前記装飾体の他面を前記第一離型紙の離型面に接触させて前記ドット状の主粘着材を前記装飾体の他面に転写して設け、さらにこの他面に第三離型紙を剥離可能に設けた装飾体の転写用保持シート。
【請求項２】
前記副粘着材と前記装飾体との接着力が前記主粘着材と前記第三離型紙との接着力より大であり、前記フィルムに前記装飾体を保持した状態で前記フィルムを前記第三離型紙から剥離し、前記フィルムに保持された前記装飾体を前記被転写体に接触させて転写を行う請求項１記載の装飾体の転写用保持シート。
【請求項３】
前記副粘着材と前記装飾体との接着力が前記主粘着材と前記第三離型紙との接着力より小であり、前記装飾体が前記第三離型紙に接着した状態で前記フィルムを前記装飾体から剥離し、その装飾体を前記第三離型紙から挟持具により剥離して前記装飾体を前記被転写体に接触させて転写を行う請求項１記載の装飾体の転写用保持シート。
【請求項４】
複数の装飾体をフィルムに保持し、この装飾体を被転写体に転写させるための装飾体の転写用保持シートの製造方法であって、
前記装飾体の一面を前記フィルムに設けた副粘着材に接着し、ドット状の主粘着材を第一離型紙の離型面に印刷し、前記第一離型紙の離型面上に第四離型紙を前記装飾体の他面と対向しない位置に載置し、前記フィルムに保持された前記装飾体の他面を前記第一離型紙の離型面に接触させて前記ドット状の主粘着材を前記装飾体の他面に転写して設け、さらにこの他面に第三離型紙を剥離可能に設ける装飾体の転写用保持シートの製造方法。
【請求項５】
複数の装飾体を被転写体に転写させるための転写用保持シートを用いた装飾体の転写方法であって、
前記転写用保持シートはフィルムと第三離型紙とを有し、前記装飾体の一面を前記フィルムに設けた副粘着材に接着し、ドット状の主粘着材が印刷された第一離型紙の離型面上に第四離型紙を前記装飾体の他面と対向しない位置に載置し、前記フィルムに保持された前記装飾体の他面を前記第一離型紙の離型面に接触させて前記ドット状の主粘着材を前記装飾体の他面に転写して設け、さらにこの他面に第三離型紙を剥離可能に設けてあり、前記装飾体を前記フィルム及び前記第三離型紙から剥離させて前記被転写体に転写する装飾体の転写方法。
【請求項６】
前記副粘着材と前記装飾体との接着力が前記主粘着材と前記第三離型紙との接着力より大であり、前記フィルムに前記装飾体を保持した状態で前記フィルムを前記第三離型紙から剥離し、前記フィルムに保持された前記装飾体を前記被転写体に接触させて転写する請求項５記載の装飾体の転写方法。
【請求項７】
前記副粘着材と前記装飾体との接着力が前記主粘着材と前記第三離型紙との接着力より小であり、前記装飾体が前記第三離型紙に接着した状態で前記フィルムを前記装飾体から剥離し、その装飾体を前記第三離型紙から挟持具により剥離して前記装飾体を前記被転写体に接触させて転写する請求項５記載の装飾体の転写方法。
【発明の詳細な説明】
【技術分野】
【０００１】
本発明は、装飾体の転写用保持シート及び転写用保持シートの製造方法並びに装飾体の転写方法に関する。さらに詳しくは、装飾体を保持するフィルムを有し、前記装飾体を前記被転写体に転写させるための装飾体の転写用保持シート及び転写用保持シートの製造方法並びに装飾体の転写方法に関する。
【背景技術】
【０００２】
従来、上述の如き装飾体の転写用保持シートとして、例えば特許文献１に記載の如きものが知られている。本文献によれば、離型シート上にシルク製版を用いて一面が連続した接着層を形成すると共に、その上に本体層、接着層を同様に形成し、接着層にキャリアフィルムを用いてラインストーンを接着させている。しかし、この接着層は、面状に連続するように印刷されているので、ラインストーンへの接着時に接着層がラインストーンからはみ出してラインストーン表面に付着するおそれがある。その結果、ラインストーンはその周囲にはみ出した接着剤により輝きが薄れ、接着の仕上がりが良好になり難かった。
【特許文献１】特開２００５−７４７８４号公報
【発明の開示】
【発明が解決しようとする課題】
【０００３】
かかる従来の実情に鑑みて、本発明は、装飾体を被転写体に見栄えよく且つ容易に転写させることが可能な装飾体の転写用保持シート及び転写用保持シートの製造方法並びに装飾体の転写方法を提供することを目的とする。
【課題を解決するための手段】
【０００４】
上記目的を達成するため、本発明に係る装飾体の転写用保持シートの特徴は、複数の装飾体をフィルムに保持し、この装飾体を被転写体に転写させるための構成において、前記装飾体の一面を前記フィルムに設けた副粘着材に接着し、ドット状の主粘着材が印刷された第一離型紙の離型面上に第四離型紙を前記装飾体の他面と対向しない位置に載置し、前記フィルムに保持された前記装飾体の他面を前記第一離型紙の離型面に接触させて前記ドット状の主粘着材を前記装飾体の他面に転写して設け、さらにこの他面に第三離型紙を剥離可能に設けたことにある。
【０００５】
上記特徴構成により、装飾体の他面にドット状の主粘着材を設けてあるので、装飾体を被転写体に転写する際に、主粘着材が装飾体の他面における周囲からほとんどはみ出すことはなく接着することができる。これにより、主粘着材が装飾体の一部に付着して輝きが薄れることもほとんどなく、装飾体を見栄えよく転写することができる。
【０００６】
また、前記フィルムに保持された前記装飾体の他面をドット状の主粘着材が印刷された前記第一離型紙の離型面に接触させて前記ドット状の主粘着材を前記装飾体の他面に転写して設けるので、装飾体の他面にドット状の主粘着材を簡単に設けることができる。
【０００７】
さらに、前記第一離型紙の離型面上に第四離型紙を前記装飾体の他面と対向しない位置に載置し、前記フィルムに保持された前記装飾体の他面を前記第一離型紙の離型面に接触させるので、第四離型紙で不必要な主粘着材の転写を防止して、転写作業をより容易に行うことができる。
【０００８】
前記副粘着材と前記装飾体との接着力が前記主粘着材と前記第三離型紙との接着力より大であり、前記フィルムに前記装飾体を保持した状態で前記フィルムを前記第三離型紙から剥離し、前記フィルムに保持された前記装飾体を前記被転写体に接触させて転写を行ってもよい。これにより、フィルムを介して装飾体を被転写体に転写できるので、転写作業も容易に行うことができる。
【０００９】
また、前記副粘着材と前記装飾体との接着力が前記主粘着材と前記第三離型紙との接着力より小であり、前記装飾体が前記第三離型紙に接着した状態で前記フィルムを前記装飾体から剥離し、その装飾体を前記第三離型紙から挟持具により剥離して前記装飾体を前記被転写体に接触させて転写を行っても構わない。これにより、直接装飾体を被転写体に転写することができる。
【００１０】
上記目的を達成するため、本発明に係る装飾体の転写用保持シートの製造方法の特徴は、複数の装飾体をフィルムに保持し、この装飾体を被転写体に転写させるための装飾体の転写用保持シートの製造方法において、前記装飾体の一面を前記フィルムに設けた副粘着材に接着し、ドット状の主粘着材を第一離型紙の離型面に印刷し、前記第一離型紙の離型面上に第四離型紙を前記装飾体の他面と対向しない位置に載置し、前記フィルムに保持された前記装飾体の他面を前記第一離型紙の離型面に接触させて前記ドット状の主粘着材を前記装飾体の他面に転写して設け、さらにこの他面に第三離型紙を剥離可能に設けたことにある。
【００１２】
また、上記目的を達成するため、本発明に係る装飾体の転写方法の特徴は、複数の装飾体を被転写体に転写させるための転写用保持シートを用いた装飾体の転写方法において、前記転写用保持シートはフィルムと第三離型紙とを有し、前記装飾体の一面を前記フィルムに設けた副粘着材に接着し、ドット状の主粘着材が印刷された第一離型紙の離型面上に第四離型紙を前記装飾体の他面と対向しない位置に載置し、前記フィルムに保持された前記装飾体の他面を前記第一離型紙の離型面に接触させて前記ドット状の主粘着材を前記装飾体の他面に転写して設け、さらにこの他面に第三離型紙を剥離可能に設けてあり、前記装飾体を前記フィルム及び前記第三離型紙から剥離させて前記被転写体に転写させたことにある。
【００１３】
前記副粘着材と前記装飾体との接着力が前記主粘着材と前記第三離型紙との接着力より大であり、前記フィルムに前記装飾体を保持した状態で前記フィルムを前記第三離型紙から剥離し、前記フィルムに保持された前記装飾体を前記被転写体に接触させて転写してもよい。
【００１４】
また、前記副粘着材と前記装飾体との接着力が前記主粘着材と前記第三離型紙との接着力より小であり、前記装飾体が前記第三離型紙に接着した状態で前記フィルムを前記装飾体から剥離し、その装飾体を前記第三離型紙から挟持具により剥離して前記装飾体を前記被転写体に接触させて転写させても構わない。
【発明の効果】
【００１５】
上記本発明に係る装飾体の転写用保持シート及び転写用保持シートの製造方法並びに装飾体の転写方法の特徴によれば、装飾体を被転写体に見栄えよく且つ容易に転写させることが可能となった。
【００１６】
本発明の他の目的、構成及び効果については、以下の発明の実施の形態の項から明らかになるであろう。
【発明を実施するための最良の形態】
【００１７】
次に、適宜添付図面を参照しながら、本発明をさらに詳しく説明する。
本発明に係る転写用保持シート１は、図１に示すように、大略、第三離型紙１４と、直径１．５ｍｍ〜３ｍｍ程度のガラス製のストーン１５と、そのストーン１５を接着保持する転写フィルム１６とよりなる。第三離型紙１４は、台紙１４ａとコーティング層１４ｂよりなり、コーティング層１４ｂにストーン１５の接着面１５ａを接着させてある。この接着面１５ａには、図１（ｃ）に示すように、後述の第一離型紙１０の主粘着材１２が適宜間隔をおいて転写されている。また、転写フィルム１６は、フィルム１６ａと副粘着材１６ｂとよりなり、副粘着材１６ｂにストーン１５の装飾面を仮止面１５ｂとして接着させてある。この転写用保持シート１は、例えば図１（ｂ）に示すように、柄２０を形成するようにストーン１５を保持してある。
【００１８】
ここで、図２を参照しながら、転写用保持シート１の作成手順及び使用方法について説明する。
まず、ストーン１５の接着面１５ａに主粘着材１２を転写させる。この転写作業には、図２ａに示すように、対をなす第一離型紙１０、第二離型紙１１を用いる。これら第一、第二離型紙１０，１１は、台紙１０ａ，１１ａと、コーティング層１０ｂ，１１ｂとよりなり、コーティング層１０ｂ，１１ｂを対向させて貼り合わせてある。また、第一離型紙１０のコーティング層１０ｂ上には、主粘着材１２が設けられている。
【００１９】
この主粘着材１２には、例えばアクリル樹脂系粘着剤を用い、その主粘着材１２をせん孔フィルム版やシルクスクリーンを用いてコーティング層１０ｂ上にドット状に印刷して形成してある。本実施形態では、主粘着材１２のドット径を０．２ｍｍ、厚み３０μｍとしている。そして、主粘着材１２の転写作業の際には、図２ａに示すように、第二離型紙１１を第一離型紙１０から剥離して用いる。なお、このドット径や厚みはストーン１５の大きさにより適宜設定すればよい。
【００２０】
次に、図２ｂに示すように、ストーン１５の仮止面１５ｂを転写フィルム１６の副粘着材１６ｂに接着させてストーン１５を転写フィルム１６に保持させる。そして、この転写フィルム１６を第一離型紙１０に接触させてストーン１５の接着面１５ａに主粘着材１２を転写させる。ここで、予めストーン１５の接着面１５ａを例えばイソプロピルアルコール等で脱脂処理しておく。これにより、主粘着材１２を確実に接着面１５ａに転写させることができる。
【００２１】
そして、図２ｃに示すように、転写フィルム１６を第一離型紙１０から剥がす。ここで、第一離型紙１０のコーティング層１０ｂは離型性が高く、且つ主粘着材１２はストーン１５の接着面１５ａに強固に接着する。また、主粘着材１２は、コーティング層１０ｂ上に小さいドット状に適宜間隔をおいて形成されている。よって、同図に示す如く、ストーン１５の接着面１５ａに対向する部分である主粘着材１２の転写部１２ａが確実に接着面１５ａに転写されると共に、接着面１５ａと対向しない他の部分は転写されずコーティング層１０ｂ上に残存部１２ｂとして残存する。従って、接着面１５ａには対向する主粘着材１２ａのみが転写されるので、被転写体１００へのストーン１５の転写時に、主粘着材１２がストーン１５からはみ出すことを防止することができる。
【００２２】
そして、図２ｄに示すように、主粘着材１２がストーン１５の接着面１５ａに転写された転写フィルム１６と転写用保持シート１の離型紙となる第三離型紙１４とを貼り合わせて、本発明に係る転写用保持シート１が完成する。
【００２３】
次に、本発明に係る転写用保持シート１の使用方法について説明する。
図２ｅに示すように、転写用保持シート１の第三離型紙１４から転写フィルム１６を剥がす。ここで、第三離型紙１４のコーティング層１４ｂは離型性が高く、且つ主粘着材１２はストーン１５の接着面１５ａに強固に接着してある。すなわち、副粘着材１６ｂとストーン１５との接着力が主粘着材１２と第三離型紙１４との接着力より大となる。よって、主粘着材１２はコーティング層１４ｂに残存することなく、確実に接着面１５ａに転写された状態で剥離できる。また、コーティング層１４ｂは離型性が高いため、ストーン１５が第三離型紙１４に残存することもない。
【００２４】
そして、図２ｆに示すように、転写フィルム１６を被転写体１００に接触させてストーン１５を転写させる。ストーン１５の転写後、図２ｇに示すように、被転写体１００から転写フィルム１６を剥離させて、ストーン１５の取り付け作業が完成する。ここで、転写フィルム１６の副粘着材１６ｂは、ストーン１５を仮止めするものであるため接着力は強固でない。他方、主粘着材１２の粘着力は強固である。よって、ストーン１５は確実に転写フィルム１６から剥離し、しかも主粘着材１２は被転写体１００に確実に接着する。なお、被転写体１００表面も予めイソプロピルアルコール等で脱脂処理しておくことで、より確実にストーン１５を接着させることができる。
【００２５】
ところで、図４ａに示すように、ストーン１５の配置間隔が広い場合、主粘着材１２の転写時に隣接するストーン１５，１５間の転写フィルム１６が垂れ下がり、転写フィルム１６の副粘着材１６ｂに主粘着材１２が転写されてしまう場合がある。そこで、係る場合、第四の離型紙３０を用いる。
【００２６】
図４ｂ，ｃに示すように、第四離型紙３０は、台紙３０ａとコーティング層３０ｂよりなり、第四離型紙３０をストーン１５と対向しない位置であるストーン１５，１５間に配置する。これにより、ストーン１５，１５間の転写フィルム１６の副粘着材１６ｂに主粘着材１２が転写されることはなく、転写作業を容易に行うことができる。なお、第四離型紙３０には例えばフッ素コーティングしたものを用いる。
【００２７】
また、図３に示すように、第四離型紙３０に貫通孔３０ｃを設けてもよい。同図に示すように、柄２０が貫通孔３０ｃ内に位置するように、第一離型紙１０のコーティング層１０ｂ上に第四離型紙３０を載置することで、転写フィルム１６へ余分に主粘着材１２を転写することを防止でき、転写作業を容易に行うことができる。なお、この第四離型紙３０は片面にのみコーティング層３１ｂを設けたが、両面にコーティング層を設けても構わない。係る場合、第四離型紙３０を第一離型紙１０から剥離して、残存する主粘着材１２を利用することができる。
【００２８】
最後に、本発明の他の実施形態の可能性について言及する。なお、上述の実施形態と同様の部材には同一の符号を附してある。
上記各実施形態において、ストーン１５を転写フィルム１６の副粘着材１６ｂに接着させ保持した状態で被転写体１００に転写させた。しかし、転写用保持シート１上で転写フィルム１６のみを剥離させるようにしてもよい。係る場合、第三離型紙１４として離型性の弱い剥離紙３１を用いる。すなわち、副粘着材１６ｂと装飾体１５との接着力が主粘着材１２と剥離紙３１との接着力より小とする。これにより、図５ａに示すように、ストーン１５を転写フィルム１６の副粘着材１６ｂから剥離し、ストーン１５が離型紙３１に接着した状態で残存させる。そして、図５ｂに示すように、そのストーン１５をピンセット１０１等の挟持具で剥離させ、直接被転写体１００に付ける。
【００２９】
なお、第一離型紙１０から第二離型紙１１を剥離し、ピンセット１０１で第一離型紙１０上に直接ストーン１５の接着面１５ａを対向させて載置して、主粘着材１２をストーン１５の接着面１５ａに転写しても構わない。
【００３０】
また、上記各実施形態において、装飾体として直径１．５ｍｍ〜３ｍｍ程度のガラス製ストーンを用いたが、装飾体の形状や大きさは特に限定されるものではなく、適宜選択可能である。但し、主粘着材１２を確実に接着面１５ａに転写させるためには、ストーン１５の接着面１５ａは平坦に形成されていることが望ましい。
【産業上の利用可能性】
【００３１】
本発明は、ラインストーン等の装飾体の転写用保持シート及び転写用保持シートの製造方法並びに装飾体の転写方法として利用することができる。装飾体としては、ストーンに限らず、ガラス、ビーズ、スパンコール、プラスチック、非鉄金属、貴金属等の装飾材料に適用することができる。また、被転写体として、紙製、プラスチック製、金属製の材料や、爪や身体等への転写方法としても用いることができる。特に、透明材料や光を反射し輝く材料等の粘着材のはみ出しによる見栄えや輝きへの影響が大きいものに対して、好適に用いられる。
【図面の簡単な説明】
【００３２】
【図１ａ】本発明に係る転写用保持シートを説明する縦断面図である。
【図１ｂ】図１ａの底面図である。
【図１ｃ】図１ｂのＡ部拡大図である。
【図２ａ】第一離型紙と第二離型紙と主粘着材との関係を説明する縦断面図である。
【図２ｂ】装飾体を主粘着材に接触させた状態を説明する縦断面図である。
【図２ｃ】装飾体に主粘着材を転写した状態を説明する縦断面図である。
【図２ｄ】転写フィルムを第三離型紙に貼り合わせて転写用保持シートを形成した状態を説明する縦断面図である。
【図２ｅ】転写用保持シートから装飾体を剥離した状態を説明する縦断面図である。
【図２ｆ】装飾体を被転写体に接触させた状態を説明する縦断面図である。
【図２ｇ】装飾体を被転写体に転写した状態を説明する縦断面図である。
【図３】本発明に係る他の実施形態を示す平面図である。
【図４ａ】転写フィルムが垂れ下がった状態を説明する縦断面図である。
【図４ｂ】本発明のさらに他の実施形態を説明する図２ｂ相当図である。
【図４ｃ】本発明のさらに他の実施形態を説明する図２ｃ相当図である。
【図５ａ】本発明のさらに他の実施形態を説明する図２ｅ相当図である。
【図５ｂ】本発明のさらに他の実施形態を説明する縦断面図である。
【符号の説明】
【００３３】
１：転写用保持シート、１０：第一離型紙、１０ａ：台紙、１０ｂ：コーティング層、１１：第二離型紙、１１ａ：台紙、１１ｂ：コーティング層、１２：主粘着材、１２ａ：転写部、１２ｂ：残存部、１４：第三離型紙、１４ａ：台紙、１４ｂ：コーティング層、１５：ストーン（装飾体）、１５ａ：接着面、１５ｂ：仮止面、１６：転写フィルム、１６ａ：フィルム、１６ｂ：副粘着材、２０：柄、３０：第四離型紙、３０ａ：台紙、３０ｂ：コーティング層、３０ｃ：孔、３１：離型紙、３１ａ：台紙、３１ｂ：コーティング層、１００：被転写体、１０１：ピンセット
【図１ａ】
0004796600.tif 000002
【図１ｂ】
0004796600.tif 000003
【図１ｃ】
0004796600.tif 000004
【図２ａ】
0004796600.tif 000005
【図２ｂ】
0004796600.tif 000006
【図２ｃ】
0004796600.tif 000007
【図２ｄ】
0004796600.tif 000008
【図２ｅ】
0004796600.tif 000009
【図２ｆ】
0004796600.tif 000010
【図２ｇ】
0004796600.tif 000011
【図３】
0004796600.tif 000012
【図４ａ】
0004796600.tif 000013
【図４ｂ】
0004796600.tif 000014
【図４ｃ】
0004796600.tif 000015
【図５ａ】
0004796600.tif 000016
【図５ｂ】
0004796600.tif 000017